(57)【要約】【課題】ユーザの体感度を向上させつつ、効率的に、ＳＲＶＣＣをＡＶ通信に適用する。【解決手段】本発明に係る移動通信システムは、ＳＲＶＣＣ手順を行うことによって、移動局ＵＥを、Ｅ-ＵＴＲＡＮを介して第１ＡＶ通信を行う第１通信状態から、ＵＴＲＡＮ/ＧＥＲＡＮを介して第２ＡＶ通信を行う第２通信状態に切り替えることができるように構成されており、第１通信状態において、ＳＲＶＣＣ手順が開始される前に、移動局ＵＥとＭＳＣサーバ/ＭＧＷとの間で、第２ＡＶ通信で使用するコーデック情報を交換するように構成されており、ＳＲＶＣＣ手順において、移動局ＵＥは、ＭＳＣサーバ/ＭＧＷに対して、交換されたコーデック情報への切り替え指示「Ｐｅｓｕｄｏ-３Ｇ  Ｈ３２４Ｍ  ｎｅｇｏｔｉａｔｉｏｎ」を送信するように構成されている。【選択図】図３
2011234057.tif 000002
【特許請求の範囲】
【請求項１】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備する移動通信システムであって、
切り替え手順を行うことによって、移動局を、前記第１通信方式の無線アクセスシステムを介して第１ＡＶ通信を行う第１通信状態から、前記第２通信方式の無線アクセスシステムを介して第２ＡＶ通信を行う第２通信状態に切り替えることができるように構成されており、
前記第１通信状態において、前記切り替え手順が開始される前に、前記移動局と前記第２通信方式のコアネットワーク内のサーバ装置との間で、前記第２ＡＶ通信で使用するコーデック情報を交換するように構成されており、
前記切り替え手順において、前記移動局は、前記サーバ装置に対して、交換された前記コーデック情報への切り替え指示を送信するように構成されていることを特徴とする移動通信システム。
【請求項２】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備する移動通信システムで用いられる移動局であって、
切り替え手順を行うことによって、前記第１通信方式の無線アクセスシステムを介して第１ＡＶ通信を行う第１通信状態から、前記第２通信方式の無線アクセスシステムを介して第２ＡＶ通信を行う第２通信状態に切り替わることができるように構成されているハンドオーバ処理部と、
前記第１通信状態において、前記切り替え手順を開始する前に、前記第２通信方式のコアネットワーク内のサーバ装置との間で、前記第２ＡＶ通信で使用するコーデック情報を交換するように構成されている交渉部とを具備しており、
前記ハンドオーバ処理部は、前記切り替え手順において、前記サーバ装置に対して、交換された前記コーデック情報への切り替え指示を送信するように構成されていることを特徴とする移動局。
【発明の詳細な説明】
【技術分野】
【０００１】
本発明は、移動通信システム及び移動局に関する。
【背景技術】
【０００２】
現在、３ＧＰＰでは、ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）のＡＶ（Ａｕｄｉｏ  ＆  Ｖｉｄｅｏ）通信（例えば、ＴＶ電話）への適用が検討されている（例えば、非特許文献１参照）。
【０００３】
ＳＲＶＣＣは、ＰＳ（Ｐａｃｋｅｔ  Ｓｗｉｔｃｈ、パケット交換）ドメイン内の音声通信（ＩＭＳベースの音声通信）とＣＳ（Ｃｉｒｃｕｉｔ  Ｓｗｉｔｃｈ、回線交換）ドメイン内の音声通信との間の切り替え（ハンドオーバ）を提供する技術である（例えば、非特許文献２参照）。
【０００４】
ここで、ＳＲＶＣＣは、ＬＴＥ（Ｌｏｎｇ  Ｔｅｒｍ  Ｅｖｏｌｕｔｉｏｎ）方式の無線アクセスシステム（Ｅ-ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）とセルラー方式の無線アクセスシステム（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、或いは、ＧＥＲＡＮ：ＧＳＭ  ＥＤＧＥ  Ｒａｄｉｏ  Ａｃｃｅｓｓ  Ｎｅｔｗｏｒｋ）との間の切り替えを提供するように構成されている。
【０００５】
ここで、ＵＴＲＡＮ/ＧＥＲＡＮを介してＡＶ通信を行うためには、３Ｇ-Ｈ３２４Ｍと呼ばれるコーテック情報が必要である。
【０００６】
なお、３Ｇ-Ｈ３２４Ｍは、ＩＴＵのＨ３２４Ｍで規定されているコーデック情報をセルラー方式の無線アクセスシステムで使用できるように改善したＡＶ通信用のコーデック情報であり、３Ｇ-Ｈ３２４Ｍを用いることによって、６４ｋｂｐｓのベアラ内で、効率的にＡＶ通信を行うことができる。
【０００７】
かかるコーデック情報の交渉手順は、以下の５つのステップを含む。
【０００８】
（ａ）  Ｈ２２３  Ｍｕｌｔｉｐｌｅｘ  Ｌｅｖｅｌ  Ｄｅｔｅｃｔｉｏｎ
（ｂ）  Ｔｅｒｍｉｎａｌ  Ｃａｐａｂｉｌｉｔｙ  Ｅｘｃｈａｎｇｅ
（ｃ）  Ｍａｓｔｅｒ  Ｓｌａｖｅ  ｄｅｔｅｒｍｉｎａｔｉｏｎ
（ｄ）  Ｏｐｅｎ  Ｌｏｇｉｃａｌ  Ｃｈａｎｎｅｌｓ
（ｅ）  Ｍｕｌｔｉｐｌｅｘ  Ｔａｂｌｅ  Ｅｎｔｒｉｅｓ  Ｅｘｃｈａｎｇｅ
【０００９】
しかしながら、上述のＳＲＶＣＣ手順において、かかる交渉手順を行うと、５〜８秒程度の切り替え遅延が発生してしまうという問題点があった。
【００１０】
かかる問題点を解決するために、非特許文献１では、以下のステップからなるステップワイズアプローチを提案している。
【００１１】
ステップ（１）において、音声通信を開始し、ステップ（２）において、３Ｇ-Ｈ３２４Ｍを用いてのＡＶ通信手順を開始し、この間、数秒（１）の音声通信を暫定利用するが、最終的にＡＶ通信の確立後、ステップ（３）において、非特許文献３に規定されているＳＣＵＤＩＦ（Ｓｅｒｖｉｃｅ  Ｃｈａｎｇｅ  ａｎｄ  ＵＤＩ  Ｆａｌｌｂａｃｋ）という技術を用いて、ステップ（１）で開始された音声通信とステップ（２）で開始されたＡＶ通信とを切り替える。
【先行技術文献】
【非特許文献】
【００１２】
【非特許文献１】３ＧＰＰ寄書  ＴＤ  Ｓ２-１０ｙｙｚｚ
【非特許文献２】３ＧＰＰ  ＴＳ２３.２１６
【非特許文献３】３ＧＰＰ  ＴＳ２３.１７２
【発明の概要】
【発明が解決しようとする課題】
【００１３】
しかしながら、ＳＣＵＤＩＦは、音声通信をＡＶ通信に切り替える技術であり、ＰＳドメインで実施されているＡＶ通信をＣＳドメインで実施するようにＡＶ通信同士を切り替える技術ではないため、ユーザの体感度が悪いという問題点があった。
【００１４】
また、非特許文献１の技術では、音声通信及びＡＶ通信を同時に提供することによる同一ユーザの音声の重複や切替タイミングの不整合からユーザ音声の瞬断が発生する可能性があるという問題点があった。
【００１５】
さらに、非特許文献１の技術では、数秒しか利用しない音声通信を開始する必要があるため、リソースの有効活用の観点から適切ではないという問題点があった。
【００１６】
そこで、本発明は、上述の課題に鑑みてなされたものであり、ユーザの体感度を向上させつつ、効率的に、ＳＲＶＣＣをＡＶ通信に適用することが可能な移動通信システム及び移動局を提供することを目的とする。
【課題を解決するための手段】
【００１７】
本発明の第１の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備する移動通信システムであって、切り替え手順を行うことによって、移動局を、前記第１通信方式の無線アクセスシステムを介して第１ＡＶ通信を行う第１通信状態から、前記第２通信方式の無線アクセスシステムを介して第２ＡＶ通信を行う第２通信状態に切り替えることができるように構成されており、前記第１通信状態において、前記切り替え手順が開始される前に、前記移動局と前記第２通信方式のコアネットワーク内のサーバ装置との間で、前記第２ＡＶ通信で使用するコーデック情報を交換するように構成されており、前記切り替え手順において、前記移動局は、前記サーバ装置に対して、交換された前記コーデック情報への切り替え指示を送信するように構成されていることを要旨とする。
【００１８】
本発明の第２の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備する移動通信システムで用いられる移動局であって、切り替え手順を行うことによって、前記第１通信方式の無線アクセスシステムを介して第１ＡＶ通信を行う第１通信状態から、前記第２通信方式の無線アクセスシステムを介して第２ＡＶ通信を行う第２通信状態に切り替わることができるように構成されているハンドオーバ処理部と、前記第１通信状態において、前記切り替え手順を開始する前に、前記第２通信方式のコアネットワーク内のサーバ装置との間で、前記第２ＡＶ通信で使用するコーデック情報を交換するように構成されている交渉部とを具備しており、前記ハンドオーバ処理部は、前記切り替え手順において、前記サーバ装置に対して、交換された前記コーデック情報への切り替え指示を送信するように構成されていることを要旨とする。
【発明の効果】
【００１９】
以上説明したように、本発明によれば、ユーザの体感度を向上させつつ、効率的に、ＳＲＶＣＣをＡＶ通信に適用することが可能な移動通信システム及び移動局を提供することができる。
【図面の簡単な説明】
【００２０】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムの動作を示すシーケンス図である。
【発明を実施するための形態】
【００２１】
（本発明の第１の実施形態に係る移動通信システム）
図１乃至図３を参照して、本発明の第１の実施形態に係る移動通信システムについて説明する。
【００２２】
図１に示すように、本実施形態に係る移動通信システムは、Ｅ-ＵＴＲＡＮと、Ｅ-ＵＴＲＡＮを収容する移動伝達ネットワークと、ＵＴＲＡＮ/ＧＥＲＡＮと、セルラー方式のコアネットワークと、ＩＭＳ（ＩＰ  Ｍｕｌｔｉｍｅｄｉａ  Ｓｕｂｓｙｓｔｅｍ、サービス制御ネットワーク）とを具備している。
【００２３】
Ｅ-ＵＴＲＡＮには、ｅＮｏｄｅＢ（不図示）が配置されており、ＵＴＲＡＮ/ＧＥＲＡＮには、ＮｏｄｅＢ/ＢＳＳ（不図示）やＲＮＣ（Ｒａｄｉｏ  Ｎｅｔｗｏｒｋ  Ｃｏｎｔｒｏｌｌｅｒ）（不図示）が配置されている。
【００２４】
移動伝達ネットワークには、ＭＭＥ（Ｍｏｂｉｌｉｔｙ  Ｍａｎａｇｅｍｅｎｔ  Ｅｎｔｉｔｙ、移動管理ノード）や、ＳＧＷ（Ｓｅｒｖｉｎｇ-Ｇａｔｅｗａｙ、サービングゲートウェイ装置）や、ＰＧＷ（ＰＤＮ-Ｇａｔｅｗａｙ、パケットデータネットワーク用ゲートウェイ装置）や、ＨＳＳ（Ｈｏｍｅ  Ｓｕｂｓｃｒｉｂｅｒ  Ｓｅｒｖｅｒ）/ＨＬＲ（Ｈｏｍｅ  Ｌｏｃａｔｉｏｎ  Ｒｅｇｉｓｔｅｒ）等が配置されている。
【００２５】
ここで、ＭＭＥやＳＧＷは、移動局ＵＥ＃１の在圏ネットワークに配置されており、ＰＧＷ及びＨＳＳ/ＨＬＲは、移動局ＵＥ＃１のホームネットワークに配置されている。
【００２６】
セルラー方式のコアネットワークには、ＭＳＣ（Ｍｏｂｉｌｅ-ｓｅｒｖｉｃｅ  Ｓｗｉｔｃｈｉｎｇ  Ｃｅｎｔｅｒ、回線交換機）やＳＧＳＮ（Ｓｅｒｖｉｎｇ  ＧＰＲＳ  Ｓｕｐｐｏｒｔ  Ｎｏｄｅ、パケット交換機）やＭＳＣサーバ/ＭＧＷ（Ｍｅｄｉａ  Ｇａｔｅｗａｙ  ｆｏｒ  ＳＲＶＣＣ、サーバ装置）が配置されている。ここで、ＭＳＣ、ＳＧＳＮ及びＭＳＣサーバ/ＭＧＷは、移動局ＵＥ＃１の在圏ネットワークに配置されている。
【００２７】
なお、ＭＳＣサーバ/ＭＧＷは、制御信号を処理するＭＳＣサーバと、ＶｏＩＰ通信用音声信号と回線交換通信用音声信号との変換等を実施するＭＧＷとに分離されていてもよい。
【００２８】
ＩＭＳには、ＳＣＣ  ＡＳ（Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ）等が配置されている。
【００２９】
本実施形態に係る移動通信システムは、ＳＲＶＣＣ手順（切り替え手順）を行うことによって、移動局ＵＥを、Ｅ-ＵＴＲＡＮを介して第１ＡＶ通信を行う第１通信状態から、ＵＴＲＡＮ/ＧＥＲＡＮを介して第２ＡＶ通信を行う第２通信状態に切り替えることができるように構成されている。
【００３０】
また、本実施形態に係る移動通信システムは、第１通信状態において、ＳＲＶＣＣ手順が開始される前に、移動局ＵＥとＭＳＣサーバ/ＭＧＷとの間で、第２ＡＶ通信で使用するコーデック情報を交換するように構成されている。
【００３１】
図２に示すように、移動局ＵＥは、位置登録処理部１１と、ハンドオーバ処理部１２と、交渉部１３とを具備している。
【００３２】
位置登録処理部１１は、移動局ＵＥの位置登録処理を行うように構成されている。ここで、位置登録処理部１１は、「Ｃｏｍｂｉｎｅｄ  ＴＡ/ＬＡ  Ｌｏｃａｔｉｏｎ  Ｕｐｄａｔｅ」を行うことができるように構成されている、すなわち、Ｅ-ＵＴＲＡＮ及びＵＴＲＡＮ/ＧＥＲＡＮの双方に対して位置登録を行うことができるように構成されている。
【００３３】
ハンドオーバ処理部１２は、ＳＲＶＣＣ手順を行うことによって、移動局ＵＥを第１通信状態から第２通信状態に切り替えることができるように構成されている。
【００３４】
交渉部１３は、第１通信状態において、ＳＲＶＣＣ手順が開始される前に、ＭＭＥ及びＭＳＣを介して、ＭＳＣサーバ/ＭＧＷとの間で、第２ＡＶ通信で使用するコーデック情報を交換するように構成されている。
【００３５】
ここで、ハンドオーバ処理部１２は、後述するように、ＳＲＶＣＣ手順において、ＭＳＣサーバ/ＭＧＷに対して、交渉部１３によって交換されたコーデック情報への切り替え指示、例えば、「Ｐｅｓｕｄｏ-３Ｇ  Ｈ３２４Ｍ  ｎｅｇｏｔｉａｔｉｏｎ」を送信するように構成されていることを要旨とする。
【００３６】
以下、図３を参照して、本実施形態に係る移動通信システムにおいて、移動局ＵＥを第１通信状態から第２通信状態に切り替える動作について説明する。
【００３７】
図３に示すように、「Ｃｏｍｂｉｎｅｄ  ＴＡ/ＬＡ  Ｌｏｃａｔｉｏｎ  Ｕｐｄａｔｅ」が行われているため、第１通信状態の移動局ＵＥ及びＭＭＥは、切り替え先のＭＳＣを知っているものとする。
【００３８】
ステップａ-１において、第１通信状態の移動局ＵＥは、ＭＭＥに対して、例えば、「Ｐｒｅ-３Ｇ  Ｈ３２４Ｍ  ｎｅｇｏｔｉａｔｉｏｎ」を送信し、ステップａ-２において、ＭＭＥは、ＭＳＣに対して、例えば、「Ｐｒｅ-３Ｇ  Ｈ３２４Ｍ  ｎｅｇｏｔｉａｔｉｏｎ  Ｆｏｒｗａｒｄ」を送信する。
【００３９】
ステップａ-３において、ＭＳＣとＭＳＣサーバ/ＭＧＷとの間で、「Ｐｒｅ-３Ｇ  Ｈ３２４Ｍ  ｎｅｇｏｔｉａｔｉｏｎ」の交換が行われる。
【００４０】
ステップａ-４において、ＭＳＣは、ＭＭＥに対して、「Ｐｒｅ-３Ｇ  Ｈ３２４Ｍ  ｎｅｇｏｔｉａｔｉｏｎ  Ｆｏｒｗａｒｄ  Ａｃｋ」を送信し、ステップａ-５において、ＭＭＥは、移動局ＵＥに対して、「Ｐｒｅ-３Ｇ  Ｈ３２４Ｍ  ｎｅｇｏｔｉａｔｉｏｎ  Ａｃｋ」を送信する。
【００４１】
なお、「Ｐｒｅ-３Ｇ  Ｈ３２４Ｍ  ｎｅｇｏｔｉａｔｉｏｎ」や「Ｐｒｅ-３Ｇ  Ｈ３２４Ｍ  ｎｅｇｏｔｉａｔｉｏｎ  Ｆｏｒｗａｒｄ」や「Ｐｒｅ-３Ｇ  Ｈ３２４Ｍ  ｎｅｇｏｔｉａｔｉｏｎ  Ｆｏｒｗａｒｄ  Ａｃｋ」や「Ｐｒｅ-３Ｇ  Ｈ３２４Ｍ  ｎｅｇｏｔｉａｔｉｏｎ  Ａｃｋ」といったメッセージの名称は、仮の名称であり、将来、変更になる可能性があるものとする。
【００４２】
ここで、ステップａ-１乃至ａ-５の手順が、５回繰り返されることによって、３Ｇ-Ｈ３２４Ｍの交渉手順に含まれる以下の５つのステップで交換される情報（例えば、コーデック情報）が、移動局ＵＥとＭＳＣサーバ/ＭＧＷとの間で交換される。
【００４３】
（１）  Ｈ２２３  Ｍｕｌｔｉｐｌｅｘ  Ｌｅｖｅｌ  Ｄｅｔｅｃｔｉｏｎ
（２）  Ｔｅｒｍｉｎａｌ  Ｃａｐａｂｉｌｉｔｙ  Ｅｘｃｈａｎｇｅ
（３）  Ｍａｓｔｅｒ  Ｓｌａｖｅ  ｄｅｔｅｒｍｉｎａｔｉｏｎ
（４）  Ｏｐｅｎ  Ｌｏｇｉｃａｌ  Ｃｈａｎｎｅｌｓ
（５）  Ｍｕｌｔｉｐｌｅｘ  Ｔａｂｌｅ  Ｅｎｔｒｉｅｓ  Ｅｘｃｈａｎｇｅ
【００４４】
なお、ステップａ-１乃至ａ-５の手順については、第１通信状態における任意のタイミングで行うことができる。
【００４５】
また、「Ｐｒｅ-３Ｇ  Ｈ３２４Ｍ  ｎｅｇｏｔｉａｔｉｏｎ」及び「Ｐｒｅ-３Ｇ  Ｈ３２４Ｍ  ｎｅｇｏｔｉａｔｉｏｎ  Ａｃｋ」は、既存のメッセージであり、「Ｐｒｅ-３Ｇ  Ｈ３２４Ｍ  ｎｅｇｏｔｉａｔｉｏｎ  Ｆｏｒｗａｒｄ」及び「Ｐｒｅ-３Ｇ  Ｈ３２４Ｍ  ｎｅｇｏｔｉａｔｉｏｎ  Ｆｏｒｗａｒｄ  Ａｃｋ」は、新たに規定されるメッセージである。
【００４６】
ステップ１において、移動局ＵＥは、Ｅ-ＵＴＲＡＮに対して、指定された周辺セルの測定結果を含む「Ｍｅａｓｕｒｅｍｅｎｔ  ｒｅｐｏｒｔ」を送信する。
【００４７】
Ｅ-ＵＴＲＡＮは、ステップ２において、移動局ＵＥのＥ-ＵＴＲＡＮ配下のセルからＵＴＲＡＮ配下のセルへのハンドオーバを行うことを決定すると、ステップ３において、ＭＭＥに対して、「Ｈａｎｄｏｖｅｒ  Ｒｅｑｕｉｒｅｄ」を送信する。
【００４８】
ＭＭＥは、ステップ４において、「Ｂｅａｒｅｒ  Ｓｐｌｉｔｔｉｎｇ」を行い、ステップ５ａにおいて、ＭＳＣサーバ/ＭＧＷに対して、「ＰＳ  ｔｏ  ＣＳ  Ｒｅｑｕｅｓｔ」を送信する。
【００４９】
ステップ５ｂにおいて、ＭＳＣサーバ/ＭＧＷは、受信した「ＰＳ  ｔｏ  ＣＳ  Ｒｅｑｕｅｓｔ」に応じて、ＭＳＣに対して、「Ｐｒｅｐａｒａｔｉｏｎ  ＨＯ」を送信し、ステップ５ｃにおいて、ＭＳＣは、ＵＴＲＡＮ/ＧＥＲＡＮに対して、「Ｒｅｌｏｃａｔｉｏｎ  ＨＯ  Ｒｅｑｕｅｓｔ」を送信する。
【００５０】
ステップ６ａにおいて、ＭＭＥは、ＳＧＳＮに対して、「Ｆｏｒｗａｒｄ  Ｒｅｌｏｃａｔｉｏｎ  Ｒｅｑｕｅｓｔ」を送信し、ステップ６ｂにおいて、ＳＧＳＮは、ＵＴＲＡＮ/ＧＥＲＡＮに対して、「Ｒｅｌｏｃａｔｉｏｎ  ＨＯ  Ｒｅｑｕｅｓｔ」を送信する。
【００５１】
ステップ７ａにおいて、ＵＴＲＡＮ/ＧＥＲＡＮは、ＳＧＳＮに対して、「Ｒｅｌｏｃａｔｉｏｎ  ＨＯ  Ｒｅｑｕｅｓｔ  Ａｃｋ」を送信し、ステップ７ｂにおいて、ＳＧＳＮは、ＭＭＥに対して、「Ｆｏｒｗａｒｄ  Ｒｅｌｏｃａｔｉｏｎ  Ｒｅｓｐｏｎｓｅ」を送信する。
【００５２】
ステップ８ａにおいて、ＵＴＲＡＮ/ＧＥＲＡＮは、ＭＳＣに対して、「Ｒｅｌｏｃａｔｉｏｎ  ＨＯ  Ｒｅｑｕｅｓｔ  Ａｃｋ」を送信し、ステップ８ｂにおいて、ＭＳＣは、ＭＳＣサーバ/ＭＧＷに対して、「Ｐｒｅｐａｒａｔｉｏｎ  ＨＯ  Ｒｅｓｐｏｎｓｅ」を送信し、ステップ８ｃにおいて、ＭＳＣサーバ/ＭＧＷとＭＳＣとの間で、ＣＳベアラを確立する。
【００５３】
ステップ９において、ＭＳＣサーバ/ＭＧＷは、ＩＭＳ内のＳＣＣ  ＡＳに対して、「Ｉｎｉｔｉａｔｉｏｎ  ｏｆ  Ｓｅｓｓｉｏｎ  Ｔｒａｎｓｆｅｒ（ＳＴＮ-ＳＲ  ｏｒ  Ｅ-ＳＴＮ-ＳＲ）」を送信する。
【００５４】
ＳＣＣ  ＡＳは、ステップ１０において、移動局ＵＥの通信相手との間のセッションを更新し、ステップ１１において、ＰＳドメイン内のセッションを開放する。
【００５５】
ステップ１２において、ＭＳＣサーバ/ＭＧＷは、ＭＭＥに対して、「ＰＳ  ｔｏ  ＣＳ  Ｒｅｓｐｏｎｓｅ」を送信し、ステップ１３において、ＭＭＥは、Ｅ-ＵＴＲＡＮに対して、「Ｈａｎｄｏｖｅｒ  Ｃｏｍｍａｎｄ」を送信し、ステップ１４において、Ｅ-ＵＴＲＡＮは、移動局ＵＥに対して、「ＨＯ  ｆｒｏｍ  Ｅ-ＵＴＲＡＮ  Ｃｏｍｍａｎｄ」を送信する。
【００５６】
ステップ１５及び１６において、移動局ＵＥの無線通信についてＥ-ＵＴＲＡＮからＵＴＲＡＮ/ＧＥＲＡＮへの切り替えが行われる。
【００５７】
ステップｂ-１において、移動局ＵＥは、ＵＴＲＡＮ/ＧＥＲＡＮに対して、例えば、「Ｐｅｓｕｄｏ-３Ｇ  Ｈ３２４Ｍ  ｎｅｇｏｔｉａｔｉｏｎ」を送信し、ステップｂ-２において、ＵＴＲＡＮ/ＧＥＲＡＮは、ＭＳＣに対して、例えば、「Ｐｅｓｕｄｏ-３Ｇ  Ｈ３２４Ｍ  ｎｅｇｏｔｉａｔｉｏｎ  Ｆｏｒｗａｒｄ」を送信する。
【００５８】
ステップｂ-３において、ＭＳＣとＭＳＣサーバ/ＭＧＷとの間で、「Ｐｅｓｕｄｏ-３Ｇ  Ｈ３２４Ｍ  ｎｅｇｏｔｉａｔｉｏｎ」の交換が行われる。
【００５９】
ステップｂ-４において、ＭＳＣは、ＵＴＲＡＮ/ＧＥＲＡＮに対して、「Ｐｅｓｕｄｏ-３Ｇ  Ｈ３２４Ｍ  ｎｅｇｏｔｉａｔｉｏｎ  Ｆｏｒｗａｒｄ  Ａｃｋ」を送信し、ステップｂ-５において、ＵＴＲＡＮ/ＧＥＲＡＮは、移動局ＵＥに対して、「Ｐｅｓｕｄｏ-３Ｇ  Ｈ３２４Ｍ  ｎｅｇｏｔｉａｔｉｏｎ  Ａｃｋ」を送信する。
【００６０】
ステップｂ-１乃至ｂ-５の手順が行われた後、ＭＳＣサーバ/ＭＧＷ及び移動局ＵＥは、使用するコーデック情報を、ステップａ-１乃至ａ-５で交換されたコーデック情報に切り替える。ここで、ステップｂ-１乃至ｂ-５の手順は、１回だけ行われる。
【００６１】
ステップ１７ａにおいて、ＵＴＲＡＮ/ＧＥＲＡＮは、ＭＳＣに対して、「Ｒｅｌｏｃａｔｉｏｎ  ＨＯ  Ｃｏｍｐｌｅｔｅ」を送信し、ＭＳＣは、ＭＳＣサーバ/ＭＧＷに対して、ステップ１７ｂにおいて、「ＳＥＳ（ＨＯ  Ｃｏｍｐｌｅｔｅ）」を送信し、ステップ１７ｃにおいて、「Ａｎｓｅｒ」を送信する。
【００６２】
ステップ１７ｄにおいて、ＭＳＣサーバ/ＭＧＷは、ＭＭＥに対して、「Ｒｅｌｏｃａｔｉｏｎ  ＨＯ  Ｃｏｍｐｌｅｔｅ」を送信し、ＭＭＥは、ＭＳＣサーバ/ＭＧＷに対して、「Ｒｅｌｏｃａｔｉｏｎ  ＨＯ  Ｃｏｍｐｌｅｔｅ  Ａｃｋ」を送信する。
【００６３】
ステップ１７ｅにおいて、ＭＳＣサーバ/ＭＧＷは、ＨＳＳ/ＨＬＲに対して、「Ｕｐｄａｔｅ  Ｌｏｃａｔｉｏｎ」を送信し、ステップ１７ｆにおいて、ＭＳＣサーバ/ＭＧＷと移動局ＵＥとの間で「ＴＭＳＩ  Ｒｅａｌｌｏｃａｔｉｏｎ」が行われる。
【００６４】
ステップ１８ａにおいて、ＵＴＲＡＮ/ＧＥＲＡＮは、ＳＧＳＮに対して、「Ｒｅｌｏｃａｔｉｏｎ  ＨＯ  Ｃｏｍｐｌｅｔｅ」を送信し、ステップ１８ｂにおいて、ＳＧＳＮは、ＭＭＥに対して、「Ｒｅｌｏｃａｔｉｏｎ  ＨＯ  Ｃｏｍｐｌｅｔｅ」を送信し、ＭＭＥは、ＳＧＳＮに対して、「Ｒｅｌｏｃａｔｉｏｎ  ＨＯ  Ｃｏｍｐｌｅｔｅ  Ａｃｋ」を送信する。
【００６５】
ステップ１８ｃにおいて、ＳＧＷとＳＧＳＮとの間で「Ｕｐｄａｔｅ  Ｂｅａｒｅｒ」が行われ、ステップ１８ｄにおいて、ＭＳＣサーバ/ＭＧＷ及びＭＭＥは、ＧＭＬＣ（Ｇａｔｅｗａｙ  Ｍｏｂｉｌｅ  Ｌｏｃａｔｉｏｎ  Ｃｅｎｔｒｅ）に対して、「Ｓｕｂｓｃｒｉｂｅｒ  Ｌｏｃａｔｉｏｎ  Ｒｅｐｏｒｔ」を送信する。
【００６６】
本実施形態に係る移動通信システムによれば、ＳＲＶＣＣ手順内では、第２ＡＶ通信で使用するコーデック情報の交換を行わず、ＳＲＶＣＣ手順が開始される前に、第２ＡＶ通信で使用するコーデック情報の交換を行うように構成されているため、切り替え遅延を抑えつつ、無駄な音声通信を開始することなく、効率的にＳＲＶＣＣを行うことができる。その結果、ユーザの体感度も向上させることができる。
【００６７】
以上に述べた本実施形態の特徴は、以下のように表現されていてもよい。
【００６８】
本実施形態の第１の特徴は、回線交換通信をサポートしていないＬＴＥ方式（第１通信方式）の無線アクセスシステム（Ｅ-ＵＴＲＡＮ）と、Ｅ-ＵＴＲＡＮを収容する移動伝達ネットワークと、回線交換通信をサポートしているセルラー方式（第２通信方式）の無線アクセスシステム（ＵＴＲＡＮ/ＧＥＲＡＮ）と、ＵＴＲＡＮ/ＧＥＲＡＮを収容するセルラー方式のコアネットワークとを具備する移動通信システムであって、ＳＲＶＣＣ手順（切り替え手順）を行うことによって、移動局ＵＥを、Ｅ-ＵＴＲＡＮを介して第１ＡＶ通信を行う第１通信状態から、ＵＴＲＡＮ/ＧＥＲＡＮを介して第２ＡＶ通信を行う第２通信状態に切り替えることができるように構成されており、第１通信状態において、ＳＲＶＣＣ手順が開始される前に、移動局ＵＥとＭＳＣサーバ/ＭＧＷ（第２通信方式のコアネットワーク内のサーバ装置）との間で、第２ＡＶ通信で使用するコーデック情報を交換するように構成されており、ＳＲＶＣＣ手順において、移動局ＵＥは、ＭＳＣサーバ/ＭＧＷに対して、交換されたコーデック情報への切り替え指示「Ｐｅｓｕｄｏ-３Ｇ  Ｈ３２４Ｍ  ｎｅｇｏｔｉａｔｉｏｎ」を送信するように構成されていることを要旨とする。
【００６９】
本実施形態の第２の特徴は、Ｅ-ＵＴＲＡＮと、Ｅ-ＵＴＲＡＮを収容する移動伝達ネットワークと、ＵＴＲＡＮ/ＧＥＲＡＮと、ＵＴＲＡＮ/ＧＥＲＡＮを収容するセルラー方式のコアネットワークとを具備する移動通信システムで用いられる移動局ＵＥであって、ＳＲＶＣＣ手順を行うことによって、Ｅ-ＵＴＲＡＮを介して第１ＡＶ通信を行う第１通信状態から、ＵＴＲＡＮ/ＧＥＲＡＮを介して第２ＡＶ通信を行う第２通信状態に切り替わることができるように構成されているハンドオーバ処理部１２と、第１通信状態において、ＳＲＶＣＣ手順を開始する前に、ＭＳＣサーバ/ＭＧＷとの間で、第２ＡＶ通信で使用するコーデック情報を交換するように構成されている交渉部１３とを具備しており、ハンドオーバ処理部１２は、ＳＲＶＣＣ手順において、ＭＳＣサーバ/ＭＧＷに対して、交換されたコーデック情報への切り替え指示「Ｐｅｓｕｄｏ-３Ｇ  Ｈ３２４Ｍ  ｎｅｇｏｔｉａｔｉｏｎ」を送信するように構成されていることを要旨とする。
【００７０】
なお、上述のＭＳＣサーバ/ＭＧＷ、ＭＭＥ、ＳＧＷ、ＳＣＣ  ＡＳ、ＳＧＳＮ、ＭＳＣ、ＨＳＳ/ＨＬＲ、移動局ＵＥの動作は、ハードウェアによって実施されてもよいし、プロセッサによって実行されるソフトウェアモジュールによって実施されてもよいし、両者の組み合わせによって実施されてもよい。
【００７１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＭＳＣサーバ/ＭＧＷ、ＭＭＥ、ＳＧＷ、ＳＣＣ  ＡＳ、ＳＧＳＮ、ＭＳＣ、ＨＳＳ/ＨＬＲ、移動局ＵＥ内に設けられていてもよい。また、かかる記憶媒体及びプロセッサは、ディスクリートコンポーネントとしてＭＳＣサーバ/ＭＧＷ、ＭＭＥ、ＳＧＷ、ＳＣＣ  ＡＳ、ＳＧＳＮ、ＭＳＣ、ＨＳＳ/ＨＬＲ、移動局ＵＥ内に設けられていてもよい。
【００７３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７４】
ＵＥ…移動局
ＭＭＥ…移動管理ノード
１１…位置登録処理部
１２、２１…ハンドオーバ処理部
１３、２２…交渉部
【図１】
2011234057.tif 000003
【図２】
2011234057.tif 000004
【図３】
2011234057.tif 000005